(57)【要約】      （修正有）【課題】利用時に、使用者が手に持つ必要性を無くして、片手でも操作でき、更に様々な形状の錠剤に対応する事ができ、高齢者でも力を要せずして簡易にＰＴＰ包装から錠剤やカプセルを取り出す事のできる錠剤取出し具を提供する。【解決手段】梃子の原理を利用することにより、簡易にＰＴＰ包装から錠剤やカプセルを排出させるための錠剤取出し具であって、ＰＴＰ包装された錠剤やカプセルを載せ置くと共に、錠剤の通過部３１が複数形成されている排出板３０と、ＰＴＰ包装された錠剤やカプセルにおいて、錠剤やカプセルが存在する領域を通過部に案内する定規板４０と、通過部に向かって進退自在な押出部５４を備えた排出レバー５０とからなる。【選択図】図１
0003206103.tif 000002
【実用新案登録請求の範囲】
【請求項１】
ＰＴＰ包装から錠剤やカプセルを排出させるための錠剤取出し具であって、
ＰＴＰ包装された錠剤やカプセルを載せ置くと共に、錠剤の通過部が複数形成されている排出板と、
ＰＴＰ包装された錠剤やカプセルにおいて、錠剤やカプセルが存在する領域を前記通過部に案内する定規板と、
前記通過部に向かって進退自在な押出部を備えた排出レバーとからなる、錠剤取出し具。
【請求項２】
更に、前記排出板を卓上に保持する支柱を備えており、
当該支柱は所定の間隔を置いて２個設置されると共に、
前記排出レバーは、排出板に対して上下揺動自在に設けられている、請求項１に記載の錠剤取出し具。
【請求項３】
前記定規板は、錠剤やカプセルを包装するＰＴＰ包装の側面側を支持することにより、当該ＰＴＰ包装された錠剤やカプセルを位置決めする、請求項１又は２に記載の錠剤取出し具。
【請求項４】
前記排出板に形成されている錠剤の通過部は、相互に異なる大きさ及び形状の貫通孔として形成されており、
前記定規板には、当該通過部ごとに、これに対応する大きさ及び形状の凹みが設けられており、
前記排出レバーは、前記通路部に対して進退自在な長さの押出部が、各通路部に対向して配置されている、請求項１~４の何れか一項に記載の錠剤取出し具。
【考案の詳細な説明】
【技術分野】
【０００１】
本考案は、ＰＴＰ包装から薬剤を簡易に取り出すための器具であって、多種多様なＰＴＰ包装薬剤に対応する事ができるようにした錠剤取出し具に関する。
【背景技術】
【０００２】
錠剤やカプセルなどは、プラスチックとアルミからなるPTP（press through pack）包装シートで包装されている。かかるＰＴＰ包装は、収容する薬剤が大気に触れる事による吸湿や、紫外線などによる変質を防ぐ為の機能を有し、また、薬剤の破損を防ぐ為に使用されている。
【０００３】
一般的なＰＴＰ包装は、内容物を収納する空間を形成する多数の収納ドームを備えたプラスチックシートと、前記収納ドームを閉塞する様にプラスチックシートに貼付されたアルミシートで構成されている。そしてこのＰＴＰ包装から収容する薬剤を取り出す際には、プラスチックシートの収納ドームを強く押すことにより、収納ドーム内の内容物がアルミ箔層を破って内容物が押し出されるように構成されている。
【０００４】
かかるＰＴＰ包装から薬剤を取り出す為に収納ドームを押圧する際には、通常は、手指を用いて行わなければならない。しかしながら、高齢者あるいは手の不自由な人にとっては、錠剤・カプセルを取出すことは必ずしも容易ではない。即ち、疾患などにより多くの薬剤を服用しなければならない者にとっては、一度に大量の薬剤を取り出さなければならず、これを一日に朝、昼、夜の三回行うとすると、手指への負担が相当なものとなる。
【０００５】
そこで従前においては、ＰＴＰ包装容器から薬剤の取り出しを容易にした器具も幾つか提案されている。
【０００６】
例えば特許文献１（特開２０１５−１２０５２７号公報）では、操作板に取り付けられた先端部にＲを有する三日月形状の押切部、薬剤ストッパー、一対の横ズレ防止板、一対の主台を備えた薬剤取出し具であって、操作板が回転することにより三日月形状の押切部が薬剤を押し出す薬剤取出し具が提案されている。かかる薬剤取出し具によれば、錠剤、カプセルを破壊するおそれがなく、多種多様なＰＴＰ包装薬剤に対応でき、高齢者が簡便に片手でも取り扱うことができ、そしてＰＴＰ包装薬剤を薬局等から受け取ったままの状態で使用することができるので、１包ずつに切り取る必要が無く、誤飲防止という要請にも対応するとの効果が示されている。
【０００７】
また特許文献２（特開２０１２−５５６６６号公報）では、押え部の先端の下部にシリコンボールを、受け台の先端に錠剤を落し込む突起つき落し穴を設け、さらに、下に錠剤溜りケースを設けてケースの上部に錠剤取り出し口を設けた錠剤押し出し具が提案されている。かかる錠剤押し出し具によれば、穴の部分に包装された錠剤を置き、上から押えるだけで下の錠剤溜りケースに錠剤が入り取り出し口から簡単に取り出すことができるとの効果が示されている。
【先行技術文献】
【特許文献】
【０００８】
【特許文献１】特開２０１５−１２０５２７号公報
【特許文献２】特開２０１２−５５６６６号公報
【考案の概要】
【考案が解決しようとする課題】
【０００９】
上記の通り、従前においてもＰＴＰ包装から錠剤やカプセルを取り出しやすくするための錠剤取出し具は幾つか提案されている。しかしながら、何れも当該錠剤取出し具を手にもって操作しなければならず、手が不自由な者や高齢者には使い勝手が良いと言えるものではなかった。
【００１０】
そこで本考案は、利用時に、使用者が手に持つ必要性を無くして、片手でも操作できるようにした錠剤取出し具を提供する事を第一の課題とする。
【００１１】
また、使用者の疾患状態によっては、一度に大量の薬剤を服用しなければならないこともあり、服用する薬剤の形状も多種多様である。このような状況下、取り出す薬剤の形状等に応じて、それ用のアダプターを取り換えなければならないとすれば、錠剤などの取り出し作業が却って煩わしいものとなる。
【００１２】
そこで本考案は、様々な形状の錠剤に対応する事ができ、高齢者でも力を要せずして簡易にＰＴＰ包装から錠剤やカプセルを取り出す事のできる錠剤取出し具を提供する事を第二の課題とする。
【課題を解決するための手段】
【００１３】
上記課題の少なくとも何れかを解決する為に、本考案では、卓上に設置して使用する錠剤取出し具を提供する。
【００１４】
即ち本考案にかかる錠剤取出し具は、ＰＴＰ包装から錠剤やカプセルを排出させるための錠剤取出し具であって、ＰＴＰ包装された錠剤やカプセルを載せ置くと共に、錠剤の通過部が複数形成されている排出板と、ＰＴＰ包装された錠剤やカプセルにおいて、錠剤やカプセルが存在する領域を前記通過部に案内する定規板と、前記通過部に向かって進退自在な押出部を備えた排出レバーとで構成する事ができる。
【００１５】
かかる錠剤取出し具は、更に、前記排出板を卓上に保持する支柱を備えて構成する事ができる。かかる支柱は所定の間隔を置いて２個設置されると共に、前記排出レバーは、当該排出板に対して上下揺動自在に設けることができる。
【００１６】
また本考案では、前記課題の少なくとも何れかを解決する為に、ＰＴＰ包装から錠剤やカプセルを排出させるための錠剤取出し具であって、卓上に設置される支柱と、当該支柱から横方向に展開すると共に、錠剤の通過部が複数形成されている排出板と、当該排出板上において、ＰＴＰ包装された薬剤を前記通過部に案内するガイド部を備えた定規板と、前記複数の通過部間を移動可能に設けられると共に、前記通過部に向かって進退自在な押出部を備えた排出レバーとからなる錠剤取出し具を提供する。
【００１７】
上記支柱は、排出板を卓上などに設置すると共に、当該排出板の下方に、ＰＴＰ包装から取り出した薬剤を落下させる空間を確保するために機能する。かかる支柱は所定の間隔を置いて２個設置することができる。また、当該支柱間には横杆部材を架設した場合には、前記排出レバーが、当該横杆部材に案内されて移動するように構成する事もできる。
【００１８】
上記支柱を卓上に設置するには、クランプ、接着剤、粘着剤、吸盤などを使用する事ができ、望ましくは卓上に対して着脱自在に固定するために、吸盤又はクランプを使用する。なお、当該クランプは天板を厚さ方向に挟持するものを使用する事ができる。
【００１９】
また、前記排出板は、取り出す対象となるＰＴＰ包装された錠剤やカプセル（以下、「ＰＴＰ包装薬剤」とも言う）を載せ置くためのものであり、ＰＴＰ包装から排出された薬剤をその厚さ方向に貫通させる孔または溝として形成された通過部を備えている。この排出板は、金属、樹脂、木材などを用いて形成する事ができ、少なくとも薬剤の排出時に、ＰＴＰ包装を保持する程度の硬さ及び剛性を備える必要がある。また、この排出板に形成される錠剤の通過部は、様々な剤形の薬剤に対応するために、その大きさや形状を異ならせて形成する事ができる。特に円盤状の薬剤を排出するためには丸孔として形成する事ができ、球状、長楕円形状の薬剤を排出させる為には、長楕円形状の孔として形成する事ができる。
【００２０】
この排出板は、載せ置いたＰＴＰ包装薬剤が落下乃至は移動する事の無いように、横方向（望ましくは水平方向）に展開するように設けられると共に、卓上から一定の高さに保持するために、前記支柱に設けられている。
【００２１】
前記定規板は、薬剤を取り出すＰＴＰ包装薬剤を、所定の位置に案内して保持する為の機能を備え、少なくともＰＴＰ包装されている錠剤やカプセルが、前記排出板に形成された通過部に存在する様に、ＰＴＰ包装薬剤を保持するように構成される。かかる定規板は、特に、ＰＴＰ包装薬剤を差し入れることのできる凹みとして形成し、当該凹みを形成する側面（ガイド壁）は、ＰＴＰ包装薬剤を差し入れ方向の先端側に窄んでいるように形成する事が望ましい。よって、この定規板は、前記通路部に対応する位置に、Ｖ字状又は逆向き台形形状の凹みを備える板として形成する事ができる。この時、当該定規板と排出板との間には、少なくとも前記ＰＴＰ包装薬剤のＰＴＰ包装を差し入れる程度の隙間が確保される必要がある。
【００２２】
そして本考案にかかる錠剤取出し具は、様々な大きさのＰＴＰ包装薬剤で使用できるように形成されることが望ましい。この為、本考案にかかる錠剤取出し具は、前記排出板に形成されている錠剤の通過部は、相互に異なる大きさ及び形状の貫通孔として形成されており、前記定規板には、当該通過部ごとに、これに対応する大きさ及び形状の凹みが形成されており、前記排出レバーは、前記通路部に対して進退自在な長さの押出部が、各通路部に対向して配置されている錠剤取出し具とすることができる。
【００２３】
特に排出レバーは、排出板に対して揺動自在に設けた板状体に、複数の押出部を形成し、当該複数の押出部を設けた板状体が一体として排出板に対して揺動する場合には、一回の押し下げ操作により、排出板に並べた複数のＰＴＰ包装薬剤から、一気に薬剤やカプセルなどを排出させることが出来る。
【考案の効果】
【００２４】
上記本考案にかかる錠剤取出し具は、ＰＴＰ包装された錠剤やカプセルを載せ置くと共に、錠剤の通過部が複数形成されている排出板と、ＰＴＰ包装された錠剤やカプセルにおいて、錠剤やカプセルが存在する領域を前記通過部に案内する定規板と、前記通過部に向かって進退自在な押出部を備えた排出レバーとで構成している。この為、排出板に載せ置いたＰＴＰ包装薬剤は、定規板によって確実に位置決めを行う事が出来、その上で前記排出レバーによって、ＰＴＰ包装容器の樹脂製のカプセル部分を押圧する事により、当該ＰＴＰ包装容器に収容されている錠剤又はカプセルだけを、通過部から取り出すことが出来る。これにより、手指の力が弱い高齢者や子供等であっても、困難なく錠剤又はカプセルを取り出す事の出来る錠剤取出し具が実現する。
【００２５】
また、上記錠剤取出し具が、更に、前記排出板を卓上に保持する支柱を備えており、当該支柱は所定の間隔を置いて２個設置されると共に、当該支柱間には横杆部材が架設され、前記排出レバーを、当該横杆部材に対して上下揺動自在に設けた場合には、当該錠剤取出し具をテーブルなどに設置、固定した状態で、錠剤又はカプセルの取り出し操作を行う事が出来る。これにより、片手だけでも円滑に錠剤又はカプセルを取り出す事の出来る錠剤取出し具が実現する。即ち、利用時に、使用者が手に持つ必要性を無くして、片手でも操作できるようにした錠剤取出し具を提供する事ができる。
【００２６】
また、上記錠剤取出し具において、前記定規板が、錠剤やカプセルを包装するＰＴＰ包装の側面側を支持することにより、当該ＰＴＰ包装された錠剤やカプセルを位置決めするように形成した場合には、前後方向のみならず左右方向のずれも無くして、所定の場所にＰＴＰ包装薬剤を保持可能な錠剤取出し具が実現する。
【００２７】
また、上記考案にかかる錠剤取出し具において、前記排出板に形成されている錠剤の通過部が、相互に異なる大きさ及び形状の貫通孔として形成されており、前記定規板には、当該通過部ごとに、これに対応する大きさ及び形状の凹みを設け、前記排出レバーは、前記通路部に対して進退自在な長さの押出部が、各通路部に対向して配置されている錠剤取出し具とした場合には、当該排出レバーを一回押下操作する事により、複数の錠剤又はカプセルを取り出す事の出来る錠剤取出し具が実現する。また、当該通過部の形状や大きさを様々に形成した場合には、様々な形状の錠剤に対応する事ができる錠剤取出し具が実現する。
【００２８】
而して、本考案にかかる錠剤取出し具によれば、手指が思うように動作しない利用者であっても、難なくＰＴＰ包装容器から錠剤又はカプセルを取り出す事の出来る錠剤取出し具が実現する。更に、ＰＴＰ包装容器における樹脂カプセル部分（収納ドーム）の押下動作は、排出レバーを操作して梃子の原理により難なく行う事が出来るため、多くのＰＴＰ包装薬剤を使用する利用者にあっても、手指に痛みなどを生じさせることなくＰＴＰ包装容器から錠剤又はカプセルを取り出す事が出来る。即ち、高齢者でも力を要せずして簡易にＰＴＰ包装から錠剤やカプセルを取り出す事のできる錠剤取出し具が実現する。
【図面の簡単な説明】
【００２９】
【図１】第１の実施の形態にかかる錠剤取出し具の分解斜視図
【図２】第１の実施の形態にかかる錠剤取出し具の斜視図
【図３】第１の実施の形態にかかる錠剤取出し具の部分透視平面図
【図４】図３に示す錠剤取出し具の（Ａ）Ａ−Ａ矢視断面図、（Ｂ）ＰＴＰ包装薬剤の設置状態を示すＡ−Ａ矢視断面図
【図５】第２の実施の形態にかかる錠剤取出し具の斜視図
【図６】第２の実施の形態にかかる錠剤取出し具の部分透視平面図
【考案を実施するための形態】
【００３０】
以下、図面を参照しながら、幾つかの実施の形態にかかる錠剤取出し具10を具体的に説明する。但し、本考案にかかる錠剤取出し具10は、以下の実施の形態に制限されるものではなく、考案の趣旨を逸脱しない範囲内において、種々変更する事が出来る。
【００３１】
図１〜４は、第１の実施の形態にかかる錠剤取出し具10を示しており、図１は当該錠剤取出し具10の分解斜視図、図２は当該錠剤取出し具10を組み立てた状態の斜視図、図３は一部を透視させて示した平面図、図４はＰＴＰ包装21から薬剤22の取り出し状態を示す側面図である。
【００３２】
この第１の実施の形態にかかる錠剤取出し具10は、図１に示す様に、ＰＴＰ包装21から取り出す薬剤22の大きさに応じた孔からなる通過部31が複数形成された排出板30と、この排出板30の上に設置されて、前記通過部31の両側に突出する凸部からなるガイド壁41を備えた定規板40と、この定規板40の上に配置されて、前記通過部31に対して進退自在な押出部54を備えた排出レバー50とから構成されている。
【００３３】
また上記排出板30の両側には、下端側に吸盤61を備えた支柱60が設けられており、当該排出板30は、吸盤61が取り付けられる卓上などから離間した状態で、この支柱60に保持されている。これにより、前記通過部31から排出される錠剤やカプセルなどの薬剤22を、この排出板30の下方に落下させることが出来る。
【００３４】
本実施の形態において、排出板30は金属や樹脂などを用いて成形する事ができるが、少なくともＰＴＰ包装21から薬剤22を排出する際に変形しない程度の剛性を有する様に形成される。この排出板30には、ＰＴＰ包装21から取り出す薬剤22の大きさ及び形状に合わせた貫通孔が形成されており、当該貫通孔が通過部31として機能する。特にこの実施の形態における貫通孔（通過部31）は、それぞれの開口の中心が直線状に並ぶように形成されている。その結果、後述する排出レバー50を操作した際に作用する力（押し出す力）を、各ＰＴＰ包装薬剤20に対して均等に作用させることができる。但し、この通過部31の形成位置は、意図的に異ならせることもできる。例えば、解砕し易い薬剤22の場合は、大きな力が作用する事の無いように、排出レバー50の揺動中心から離れた位置に形成することができる。またＰＴＰ包装21におけるアルミシートが破けにくい場合には、より大きな力を作用させる為に、排出レバー50の揺動中心に近い位置に形成したりすることが出来る。
【００３５】
特に本実施の形態において、当該通過部31は、ＰＴＰ包装薬剤20の挿入方向に見て、右から直径１５ｍｍの丸孔、幅９ｍｍで長さ２２ｍｍの長楕円孔、直径１３ｍｍの丸孔、直径１０ｍｍの丸孔として形成している。当然のことながら、当該通過部31の大きさは、利用者が服用する薬剤22の大きさや形状に応じて、任意に変更することもできる。
【００３６】
また前記定規板40は、その先端側（ＰＴＰ包装薬剤20が挿入される側）に、前記通過部31が収まる大きさの凹部42が形成されており、当該凹部42の間に出現する凸部43は、前記通過部31間に存在する。その結果、定規板40の先端側からＰＴＰ包装薬剤20を凹部42に差し入れれば、当該ＰＴＰ包装薬剤20は凸部43の側壁（ガイド壁41）に案内されて、ＰＴＰ包装内の薬剤22が、前記通過部31上に存在する事ができる。特に、本実施の形態において、当該凹部42は奥に向かって窄んだ形状となっている。その結果、当該凹部42内に挿入されたＰＴＰ包装薬剤20は、薬剤22を覆う樹脂カプセル部分が、左右両側に存在する傾斜したガイド溝に支持されることになり、より正確に位置決めを行う事が出来る。
【００３７】
かかる定規板40は、前記排出板30から離間している状態で設置される。その結果、図４に示す様に、ＰＴＰ包装薬剤20を排出板30と定規板40との間に挿入して、当該ＰＴＰ包装薬剤20を所定の位置に置決めする事ができる。そして当該定規板40は、ＰＴＰ包装21から薬剤22を排出する際に変形可能な弾性を備えて形成するのが望ましい。即ち、当該定規板40が排出レバー50の押し下げ動作に支障を来さないように形成する事が望ましい。
【００３８】
また、排出レバー50は、バネ材などの金属か、或いは弾性変形可能な樹脂材料を用いて形成する事ができる。本実施の形態にかかる排出レバー50は、排出板30に対して、先端側を上下揺動自在に固定している。かかる排出レバー50の揺動幅は、排出板30と定規板40との間に差し入れたＰＴＰ包装薬剤20の高さ以上であることが必要である。本実施の形態では、この排出レバー50は、排出板30に固定された板状部51と、この板状部から延伸する操作杵部52とで構成されている。そして板状部51の先端側には、前記通過部31との対向位置に凸状部53を形成すると共に、当該凸状部53の下面には、前記通過部31に対して進退自在な長さに形成された押出部54が形成されている。この押出部54は、金属や樹脂などで形成する他、ゴムなどの様に、摩擦抵抗が大きく、また弾性変形可能な材料で形成する事もできる。
【００３９】
以上の様に、排出板30の両側に支柱60を設け、当該排出板30上に定規板40及び排出レバー50を設ける事により、図２に示すような錠剤取出し具10が形成される。
【００４０】
図３は、この実施の形態にかかる錠剤取出し具10の使用状態を示す平面図であり、図４は、図３におけるＡ−Ａ断面図である。この図に示す様に、ＰＴＰ包装21された薬剤22は、当該錠剤取出し具10の正面側（先端側）から、排出板30と定規板40との間に、ＰＴＰ包装薬剤20を差し入れる。ＰＴＰ包装薬剤20は、薬剤22を収容するカプセル部分（収納ドーム）と、当該カプセル部分の下側にフランジ状に拡がる平面部とを備えていることから、当該カプセル部分（収納ドーム）は定規板40の凹部に存在し、平板部は排出板30と定規板40との間に存在する事になる。このようにして、図４（Ａ）に示す様に所定位置にＰＴＰ包装薬剤20を位置決めした後は、図４（Ｂ）に示す様に排出レバー50を下げる事により、ＰＴＰ包装21内の薬剤22は押し出され、通過部31を通って排出板30の下方に落下する事になる。
【００４１】
以上により、この実施の形態にかかる錠剤取出し具10は、ＰＴＰ包装薬剤20を所定の位置に円滑かつ正確に設置する事ができ、排出レバー50を操作するだけで薬剤22をＰＴＰ包装21から取り出す事ができる。その際、当該錠剤取出し具10は、支柱60に設けられている吸盤61によって卓上に設置する事が出来るため、片手でも操作可能であり、更に排出レバー50は梃子の原理を利用していることから、僅かな力で薬剤22をＰＴＰ包装21から取り出す事が出来る。特に本実施の形態にかかる錠剤取出し具10は、排出レバー50の一回の操作により、通過部31の上に設置した複数の薬剤22を排出する事が出来る事から、多くの薬剤22を服用しなければならない利用者にあっては、１回の操作で、多くの薬剤22を取り出す事ができ、薬剤22服用時の取り出しの手間を大幅に改善する事ができる。
【００４２】
図５及び６は他の実施の形態にかかる錠剤取出し具10を示している。この実施の形態にかかる錠剤取出し具10は、前記排出レバー50を、錠剤取出し具10の幅方向に移動可能に形成したものであり、特に１つずつ薬剤22を取り出すのに適した錠剤取出し具10となっている。
【００４３】
即ち、この実施の形態にかかる錠剤取出し具10では、排出板30、定規板40、及び支柱60は前記実施の形態１に示したものと同様であり、排出レバー50が異なる構造となっている。この排出レバー50は、支柱60の間に架設された横杆62を、その長さ方向にスライド自在であって、且つ当該横杆62を中心として上下揺動自在に設けられている。かかる排出レバー50は金属や樹脂などからなり、十分な剛性を有する細板部材と、この細板部材の先端側に設けられた把持部と、排出板30の通過部31に対向する位置に設けられた押出部54とで形成されている。かかる排出レバー50を、所定箇所に設置したＰＴＰ包装薬剤20上に移動させ、当該ＰＴＰ包装薬剤20に向かって押下することより、ＰＴＰ包装21内の薬剤22を、通過部31から排出する事ができる。
【００４４】
特にこの実施の形態にかかる錠剤取出し具10では、前記排出レバー50の移動に際して、前記押出部54が通過部31上に存在する位置で、位置決めされるように仮止めされる構成とする事ができる。かかる仮止めの構成は溝と突起との組み合わせなど、既存の構成を利用する事ができる。
【００４５】
以上のように構成した錠剤取出し具10によれば、所定位置にＰＴＰ包装薬剤20を設置した後は、排出レバー50をその上方に移動させて押下する事により、当該ＰＴＰ包装21内の薬剤22を通過部31から排出板30の下方に取り出す事ができる。
【産業上の利用可能性】
【００４６】
本考案にかかる錠剤取出し具は、ＰＴＰ包装されている薬剤を簡易に取り出すために利用する事ができ、さらに薬剤にかからずＰＴＰ包装されている様々な物品を取り出す為に、様々な産業においても使用する事ができる。
【符号の説明】
【００４７】
10    錠剤取出し具
20    ＰＴＰ包装薬剤
21    ＰＴＰ包装
22    薬剤
30    排出板
31    通過部
40    定規板
41    ガイド壁
42    凹部
43    凸部
50    排出レバー
51    板状部
52    操作杵部
53    凸状部
54    押出部
60    支柱
61    吸盤
62    横杆
【図１】
0003206103.tif 000003
【図２】
0003206103.tif 000004
【図３】
0003206103.tif 000005
【図４】
0003206103.tif 000006
【図５】
0003206103.tif 000007
【図６】
0003206103.tif 000008